(57)【要約】【課題】組電池を構成する全単電池を効率良く冷却または加熱しうる組電池装置を提供する。【解決手段】組電池装置１は、伝熱器４の伝熱媒体流通路６内を流れる伝熱媒体の有する冷熱または温熱を組電池２の各単電池３に伝える熱伝導部材７を有する。熱伝導部材７を、アルミニウムと炭素粒子とが複合化されている複合材を含む板状の複合体20を有している。熱伝導部材７において、単電池３の第１受熱面13に接触する第１単電池側接触部15、第１単電池側接触部15と伝熱器４の伝熱面５に接触する伝熱器側接触部17とを連結する第１連結部18、および単電池３の第２受熱面14に接触する第２単電池側接触部16と伝熱器側接触部17とを連結する第２連結部19によって、ばね状弾性を有する変形部10を形成する。【選択図】図１
2019117784.tif 000002
【特許請求の範囲】
【請求項１】
複数の角形単電池からなる組電池と、外部に伝熱面を有するとともに、内部に伝熱媒体が流通する伝熱媒体流通路を有する伝熱器と、伝熱器の伝熱媒体流通路内を流れる伝熱媒体の有する冷熱または温熱を組電池の各単電池に伝える熱伝導部材とよりなる組電池装置であって、
組電池を構成する全単電池が、１つの面が伝熱器の伝熱面側を向くとともに伝熱器の伝熱面との間に間隔をおいた状態で積層状に配置されており、
熱伝導部材が、アルミニウムと炭素粒子とが複合化されている複合材を含む板状の複合体を有し、単電池の伝熱器側を向いた第１受熱面に接触する第１単電池側接触部と、単電池の第１受熱面に隣接する第２受熱面に接触する第２単電池側接触部と、両単電池側接触部間に単電池から伝熱器側に突出するように設けられ、かつ伝熱器の伝熱面に接触する伝熱器側接触部とよりなり、熱伝導部材の第１単電池側接触部と伝熱器側接触部とが両者に一体化された第１連結部により連結され、熱伝導部材の第２単電池側接触部と伝熱器側接触部とが両者に一体化された第２連結部により連結され、第１単電池側接触部、第１連結部および第２連結部によって、ばね状弾性を有し、かつ単電池の前記第１受熱面と伝熱器の伝熱面とが接近するような力を受けた際に弾性変形する変形部が形成されている組電池装置。
【請求項２】
熱伝導部材の第１連結部、第２連結部および伝熱器側接触部によって、伝熱器側接触部を頂点とする略Ｖ字形の変形部が形成されている請求項１記載の組電池装置。
【請求項３】
組電池の単電池が、端子が設けられた第１の端面とは反対側の第２の端面が伝熱器の伝熱面側を向いており、単電池の第２端面が前記第１受熱面となり、単電池の側面における積層方向に対をなす２つの面のうちのいずれか一方の面が前記第２受熱面となっており、各単電池に１つの熱伝導部材が配置され、一端の熱伝導部材を除いた他の熱伝導部材の第２単電池側接触部が、組電池の隣り合う単電池間に配置されている請求項１または２記載の組電池装置。
【請求項４】
組電池の単電池が、端子が設けられた第１の端面とは反対側の第２の端面が伝熱器の伝熱面側を向いており、単電池の第２端面が前記第１受熱面となり、単電池の側面における積層方向と直交する方向に対をなす２つの面が前記第２受熱面となっており、各単電池に２つの熱伝導部材が配置され、各単電池の第１受熱面に２つの熱伝導部材の第１単電池側接触部が接触するとともに、同じく第２受熱面に２つの熱伝導部材の第２単電池側接触部が接触している請求項１または２記載の組電池装置。
【請求項５】
組電池の単電池の側面における積層方向と直交する方向に対をなす２つの面のうちのいずれか一方の面が前記第１受熱面となっており、単電池の側面における積層方向に対をなす２つの面のうちのいずれか一方の面が前記第２受熱面となっており、各単電池に１つの熱伝導部材が配置され、一端の熱伝導部材を除いた他の熱伝導部材の第２単電池側接触部が、組電池の隣り合う単電池間に配置されている請求項１または２記載の組電池装置。
【請求項６】
伝熱器が１つの伝熱面を有し、伝熱器の伝熱面が設けられた側のみに組電池が配置されている請求項１〜５のうちのいずれかに記載の組電池装置。
【請求項７】
伝熱器が互いに反対側を向いた２つの伝熱面を有し、伝熱器の両側に組電池が配置されている請求項１〜５のうちのいずれかに記載の組電池装置。
【請求項８】
前記炭素粒子が、カーボンナノチューブ、グラフェン、黒鉛粒子および炭素繊維からなる群より選択される少なくとも１種類からなる請求項１〜７のうちのいずれかに記載の組電池装置。
【請求項９】
前記複合体の複合材が、アルミニウムマトリックスおよびアルミニウムマトリックス中に分散した炭素粒子からなる請求項１〜８のうちのいずれかに記載の組電池装置。
【請求項１０】
前記複合体の複合材が、前記アルミニウムマトリックスを構成するアルミニウム材料中に前記炭素粒子が面方向に分散した複数の炭素粒子分散層と、前記アルミニウムマトリックスを構成するアルミニウム材料で形成された複数のアルミニウム層とを有し、前記炭素粒子分散層と前記アルミニウム層とが、前記複合体の厚さ方向に交互に積層状に配列されている請求項９記載の組電池装置。
【請求項１１】
前記熱伝導部材が、前記複合体の両面に単層または複層の樹脂フィルム層が接着剤層で接着された積層材である請求項１〜１０のうちのいずれかに記載の組電池装置。
【請求項１２】
前記樹脂フィルム層がポリエチレンテレフタレートフィルムとナイロンフィルムの複層の樹脂フィルム層であり、前記ナイロンフィルムが複合体側に配置されている請求項１１に記載の組電池装置。
【請求項１３】
前記接着剤層がウレタン系接着剤層である請求項１１または１２に記載の組電池装置。
【発明の詳細な説明】
【技術分野】
【０００１】
この発明は、組電池装置に関する。
【０００２】
この明細書および特許請求の範囲において、「アルミニウム」という用語には、純アルミニウムの他にアルミニウム合金を含むものとする。
【背景技術】
【０００３】
たとえばハイブリッド自動車、電気自動車等の電動機駆動用バッテリー装置として、たとえばリチウムイオン二次電池などの各種の二次電池からなる複数個の小型単電池を直列または並列に接続して組電池の形態としたものが用いられている。特に、電気自動車においては航続距離の延長のニーズから組電池の大容量化が求められるので、複数の組電池が直列または並列に接続されるように組み合わされている。
【０００４】
ところで、二次電池は、使用温度によって性能や寿命が変化するので、長時間にわたって効率良く使用するためには適正な温度で使用する必要がある。
【０００５】
そこで、上述したような組電池におけるすべての単電池の温度差を小さくすることを目的として、頂壁外面が平坦な伝熱面となっているとともに、内部に冷媒が流通する冷媒通路を有する金属製冷却部材を備えている冷却装置が提案されている（特許文献１参照）。
【０００６】
特許文献１記載の冷却装置においては、組電池が冷却部材の伝熱面上に、シリコン樹脂などの合成樹脂からなる熱伝導シートを介して載置され、冷却部材の冷媒通路を流れる冷媒から冷却部材の頂壁および熱伝導シートを介して組電池に伝わる冷熱によって組電池が冷却されるようになっており、組電池の冷却効率をあげるには、冷却部材の伝熱面と熱伝導シートとの密着性および組電池の受熱面と熱伝導シートとの密着性を向上させる必要がある。
【０００７】
ところで、上述した組電池においては、各単電池が変形したり、少なくとも一部の単電池が上下方向にずれて受熱面に段差が生じたりすることがある。したがって、これらの変形や段差を吸収して組電池の受熱面と熱伝導シートとの密着性を向上させるためには、熱伝導シートの肉厚を比較的厚くする必要がある。しかしながら、合成樹脂からなる熱伝導シートの熱伝導率は比較的低いので、熱伝導シートの肉厚を厚くすると、組電池の受熱面と冷却部材の伝熱面との間の熱伝導性が低下し、組電池の単電池を効率良く冷却することができない。
【先行技術文献】
【特許文献】
【０００８】
【特許文献１】特許第６０２０９４２号公報
【発明の概要】
【発明が解決しようとする課題】
【０００９】
この発明の目的は、上記問題を解消し、組電池を構成する全単電池を効率良く冷却または加熱しうる組電池装置を提供することにある。
【課題を解決するための手段】
【００１０】
本発明は、上記目的を達成するために以下の態様からなる。
【００１１】
1)複数の角形単電池からなる組電池と、外部に伝熱面を有するとともに、内部に伝熱媒体が流通する伝熱媒体流通路を有する伝熱器と、伝熱器の伝熱媒体流通路内を流れる伝熱媒体の有する冷熱または温熱を組電池の各単電池に伝える熱伝導部材とよりなる組電池装置であって、
組電池を構成する全単電池が、１つの面が伝熱器の伝熱面側を向くとともに伝熱器の伝熱面との間に間隔をおいた状態で積層状に配置されており、
熱伝導部材が、アルミニウムと炭素粒子とが複合化されている複合材を含む板状の複合体を有し、単電池の伝熱器側を向いた第１受熱面に接触する第１単電池側接触部と、単電池の第１受熱面に隣接する第２受熱面に接触する第２単電池側接触部と、両単電池側接触部間に単電池から伝熱器側に突出するように設けられ、かつ伝熱器の伝熱面に接触する伝熱器側接触部とよりなり、熱伝導部材の第１単電池側接触部と伝熱器側接触部とが両者に一体化された第１連結部により連結され、熱伝導部材の第２単電池側接触部と伝熱器側接触部とが両者に一体化された第２連結部により連結され、第１単電池側接触部、第１連結部および第２連結部によって、ばね状弾性を有し、かつ単電池の前記第１受熱面と伝熱器の伝熱面とが接近するような力を受けた際に弾性変形する変形部が形成されている組電池装置。
【００１２】
2)熱伝導部材の第１連結部、第２連結部および伝熱器側接触部によって、伝熱器側接触部を頂点とする略Ｖ字形の変形部が形成されている上記1)記載の組電池装置。
【００１３】
3)組電池の単電池が、端子が設けられた第１の端面とは反対側の第２の端面が伝熱器の伝熱面側を向いており、単電池の第２端面が前記第１受熱面となり、単電池の側面における積層方向に対をなす２つの面のうちのいずれか一方の面が前記第２受熱面となっており、各単電池に１つの熱伝導部材が配置され、一端の熱伝導部材を除いた他の熱伝導部材の第２単電池側接触部が、組電池の隣り合う単電池間に配置されている上記1)または2)記載の組電池装置。
【００１４】
4)組電池の単電池が、端子が設けられた第１の端面とは反対側の第２の端面が伝熱器の伝熱面側を向いており、単電池の第２端面が前記第１受熱面となり、単電池の側面における積層方向と直交する方向に対をなす２つの面が前記第２受熱面となっており、各単電池に２つの熱伝導部材が配置され、各単電池の第１受熱面に２つの熱伝導部材の第１単電池側接触部が接触するとともに、同じく第２受熱面に２つの熱伝導部材の第２単電池側接触部が接触している上記1)または2)記載の組電池装置。
【００１５】
5)組電池の単電池の側面における積層方向と直交する方向に対をなす２つの面のうちのいずれか一方の面が前記第１受熱面となっており、単電池の側面における積層方向に対をなす２つの面のうちのいずれか一方の面が前記第２受熱面となっており、各単電池に１つの熱伝導部材が配置され、一端の熱伝導部材を除いた他の熱伝導部材の第２単電池側接触部が、組電池の隣り合う単電池間に配置されている上記1)または2)記載の組電池装置。
【００１６】
6)伝熱器が１つの伝熱面を有し、伝熱器の伝熱面が設けられた側のみに組電池が配置されている上記1)〜5)のうちのいずれかに記載の組電池装置。
【００１７】
7)伝熱器が互いに反対側を向いた２つの伝熱面を有し、伝熱器の両側に組電池が配置されている上記1)〜5)のうちのいずれかに記載の組電池装置。
【００１８】
8)前記炭素粒子が、カーボンナノチューブ、グラフェン、黒鉛粒子および炭素繊維からなる群より選択される少なくとも１種類からなる上記1)〜7)のうちのいずれかに記載の組電池装置。
【００１９】
9)前記複合体の複合材が、アルミニウムマトリックスおよびアルミニウムマトリックス中に分散した炭素粒子からなる上記1)〜8)のうちのいずれかに記載の組電池装置。
【００２０】
10)前記複合体の複合材が、前記アルミニウムマトリックスを構成するアルミニウム材料中に前記炭素粒子が面方向に分散した複数の炭素粒子分散層と、前記アルミニウムマトリックスを構成するアルミニウム材料で形成された複数のアルミニウム層とを有し、前記炭素粒子分散層と前記アルミニウム層とが、前記複合体の厚さ方向に交互に積層状に配列されている上記9)記載の組電池装置。
【００２１】
11)前記熱伝導部材が、前記複合体の両面に単層または複層の樹脂フィルム層が接着剤層で接着された積層材である上記1)〜10)のうちのいずれかに記載の組電池装置。
【００２２】
12)前記樹脂フィルム層がポリエチレンテレフタレートフィルムとナイロンフィルムの複層の樹脂フィルム層であり、前記ナイロンフィルムが複合体側に配置されている上記11)に記載の組電池装置。
【００２３】
13)前記接着剤層がウレタン系接着剤層である上記11)または12)に記載の組電池装置。
【発明の効果】
【００２４】
上記1)〜13)の組電池装置によれば、伝熱器の伝熱媒体流通路に伝熱媒体を流すことによって、伝熱媒体の有する冷熱または温熱が、熱伝導部材の伝熱器側接触部、第１連結部および第１単電池側接触部を介して単電池の第１受熱面に伝えられるとともに、伝熱器側接触部、第２連結部および第２単電池側接触部を介して単電池の第２受熱面に伝えられ、単電池が冷却または加熱される。しかも、熱伝導部材が、単電池の伝熱器側を向いた第１受熱面に接触する第１単電池側接触部と、単電池の第１受熱面に隣接する第２受熱面に接触する第２単電池側接触部と、両単電池側接触部間に単電池から伝熱器側に突出するように設けられ、かつ伝熱器の伝熱面に接触する伝熱器側接触部とよりなり、熱伝導部材の第１単電池側接触部と伝熱器側接触部とが両者に一体化された第１連結部により連結され、熱伝導部材の第２単電池側接触部と伝熱器側接触部とが両者に一体化された第２連結部により連結され、第１単電池側接触部、第１連結部および第２連結部によって、ばね状弾性を有し、かつ単電池の前記第１受熱面と伝熱器の伝熱面とが接近するような力を受けた際に弾性変形する変形部が形成されているので、組電池の各単電池が変形したり、一部の単電池の第１受熱面が他の単電池の第１受熱面とずれていたとしても、変形部が弾性変形し、組電池の各単電池の第１受熱面と熱伝導部材の第１単電池側接触部との間に接触不良が生じることが防止され、その結果組電池の各単電池と、伝熱器の伝熱面との間の熱伝導部材を介しての熱伝導性の低下が抑制される。したがって、組電池を構成する全単電池を効率良く冷却または加熱することが可能になる。
【００２５】
また、熱伝導部材がアルミニウムと炭素粒子とが複合化されている複合材を含む板状の複合体によって形成されているので、特許文献１記載の合成樹脂からなる熱伝導シートに比べて熱伝導率が極めて高くなり、伝熱器と組電池の単電池との間の熱伝導性が優れたものになる。したがって、組電池の単電池を効率良く冷却または加熱することができる。
【００２６】
上記2)の組電池装置によれば、比較的簡単な構成で、変形部を形成することができる。
【００２７】
上記7)の組電池装置によれば、１つの伝熱器で多くの単電池を冷却することが可能になり、部品点数が少なくなる。
【００２８】
上記8)の組電池装置によれば、複合体の熱伝導率を向上させることができる。また、複合体におけるアルミニウムと炭素粒子との複合化を確実に行うことができる。
【００２９】
上記9)の組電池装置によれば、アルミニウムマトリックス中での炭素粒子の偏りが少なくなり、複合体の熱伝導性が全体に均一となる。
【００３０】
上記10)の組電池装置によれば、複合材の炭素粒子分散層と前記アルミニウム層とが、板状複合体の厚さ方向の全体にわたって交互に積層状に配列されているので、炭素粒子分散層の厚みをなるべく薄くしつつ、炭素粒子分散層の数を多くすることが可能になり、複合体の熱伝導率を効果的に高めることができる。
【００３１】
上記11)の組電池装置によれば、熱伝導部材が複合体の両面に樹脂フィルム層を接着した積層材であるから、熱伝導性に優れるとともに、絶縁性、耐突き刺し性、耐食性、耐摩耗性、耐擦過性、耐水性、耐薬品性、発塵防止性が向上し、十分な曲げ強度及びバネ弾性も付与されている。
【００３２】
上記12)の組電池装置によれば、熱伝導部材として用いる積層材がナイロンフィルムを備えているから耐突き刺し性をさらに向上させることができるとともに、該ナイロンフィルムにポリエチレンテレフタレートフィルムを組み合わせているから耐水性を向上させることができる。
【００３３】
上記13)の組電池装置によれば、熱伝導部材として用いる積層材において、接着剤層がウレタン系接着剤層で形成されているから、樹脂フィルム層の樹脂種を問わず、高い接着強度を確保できる。
【図面の簡単な説明】
【００３４】
【図１】この発明による組電池装置を部分的に示す側面図である。
【図２】図１のII−II線矢視図である。
【図３】図１の組電池装置に用いられる熱伝導部材の一部分を示す拡大断面図である。
【図４】この発明による組電池装置の他の実施形態を示す図２に相当する正面図である。
【図５】この発明による組電池装置のさらに他の実施形態を示す平面図である。
【図６】図１の組電池装置において熱伝導部材として用いる積層材の第１実施形態を示す断面図である。
【図７】図１の組電池装置において熱伝導部材として用いる積層材の第２実施形態を示す断面図である。
【発明を実施するための形態】
【００３５】
以下、この発明の実施形態を、図面を参照して説明する。
【００３６】
以下の説明において、各図面に関する説明において、各図面の上下を上下というものとする。
【００３７】
また、全図面を通じて同一物および同一部分には同一符号を付す。
【００３８】
図１および図２はこの発明による組電池装置を示し、図３は図１および図２の組電池装置に用いられる熱伝導部材の構成を示す。
【００３９】
図１および図２において、組電池装置(1)は、たとえば複数の角形リチウムイオン二次電池などの扁平状角形単電池(3)からなる組電池(2)と、組電池(2)の下方に配置され、かつ外部に伝熱面(5)を有するとともに内部に伝熱媒体が流通する伝熱媒体流通路(6)を有する伝熱器(4)と、伝熱器(4)の伝熱媒体流通路(6)内を流れる伝熱媒体の有する冷熱または温熱を組電池(2)の各単電池(3)に伝える熱伝導部材(7)とよりなる。
【００４０】
組電池(2)を構成する単電池(3)は、一定の高さ（図１の上下方向の寸法）、一定の厚み（図１の左右方向の寸法）および一定の幅（図２の左右方向の寸法）を有する扁平な角柱状であって、１対の端子(8)が突出状に設けられた上端面(9)(第１の端面)と、下端面(11)(第２の端面)と、厚み方向の異なる方向（図１の左右方向）を向いた１対の第１垂直面(12a)および幅方向の異なる方向（図２の左右方向）を向いた１対の第２垂直面(12b)からなる側面(12)とを有している。全単電池(3)は、１つの面、すなわち下端面(11)が伝熱器(4)の伝熱面(5)側を向くとともに伝熱器(4)の伝熱面(5)との間に間隔をおいた状態で厚み方向に積層状に配置されており、端子(8)を利用して全ての単電池(3)が直列状または並列状に接続されることにより組電池(2)が構成されている。ここでは、単電池(3)の伝熱器(4)側を向いた下端面(11)が第１受熱面(13)となり、第１受熱面(13)に隣接する一方（図１の左方）の第１垂直面(12a)が第２受熱面(14)となっている。
【００４１】
伝熱器(4)は金属、たとえばアルミニウムを用いて扁平状に形成されており、一定の高さ（図１の上下方向の寸法）、一定の長さ（図１の左右方向の寸法）および一定の幅（図２の左右方向の寸法）を有し、上面が伝熱面(5)となっている。伝熱媒体流通路(6)は伝熱器(4)の長手方向に延びており、伝熱器(4)の幅方向に並んで複数形成されている。伝熱媒体流通路(6)には、組電池(2)を構成する単電池(3)に冷熱を付与したり、温熱を付与したりする伝熱媒体が流れるようになっている。
【００４２】
熱伝導部材(7)は、アルミニウムと炭素粒子とが複合化されることにより形成された複合材を含む板状の複合体(20)を用いて形成されており、各単電池(3)毎に１つずつ配置されている。熱伝導部材(7)は、各単電池(3)の伝熱器(4)側を向いた第１受熱面(13)に接触する第１単電池側接触部(15)と、各単電池(3)の第１受熱面(13)に隣接する第２受熱面(14)に接触する第２単電池側接触部(16)と、両単電池側接触部(15)(16)間に各単電池(3)から伝熱器(4)側に突出するように設けられ、かつ伝熱器(4)の伝熱面(5)に接触する伝熱器側接触部(17)とよりなる。一端の熱伝導部材(7)を除いた他の熱伝導部材(7)の第２単電池側接触部(16)は、組電池(2)の隣り合う単電池(3)の近接する２つの第１垂直面(12a)間に配置されている。熱伝導部材(7)の第１単電池側接触部(15)と伝熱器側接触部(17)とは両者に一体化された第１連結部(18)により連結され、熱伝導部材(7)の第２単電池側接触部(16)と伝熱器側接触部(17)とは両者に一体化された第２連結部(19)により連結されており、第１単電池側接触部(15)、第１連結部(18)および第２連結部(19)によって、ばね状弾性を有し、かつ単電池(3)の第１受熱面(13)と伝熱器(4)の伝熱面(5)とが接近するような上下方向の力を受けた際に弾性変形する変形部(10)が形成されている。第１連結部(18)、第２連結部(19)および伝熱器側接触部(17)は、伝熱器側接触部(17)を頂点とする略Ｖ字形となっている。
【００４３】
図３に示すように、熱伝導部材(7)を形成する複合体(20)は、アルミニウムマトリックス(22)、およびアルミニウムマトリックス(22)中に分散した炭素粒子(23)を含む板状の複合材(21)と、複合材(21)の互いに反対側を向いた２つの主面(21a)を覆うアルミニウム製の主面表皮層(24)からなる。複合材(21)は、アルミニウムと炭素粒子(23)とが複合化されることにより形成されている。
【００４４】
複合材(21)は、アルミニウムマトリックス(22)を構成するアルミニウム材料中に炭素粒子(23)が平面方向に分散した複数の炭素粒子分散層(25)と、アルミニウムマトリックス(22)を構成するアルミニウム材料で形成された複数のアルミニウム層(26)とを積層状に備えている。
【００４５】
炭素粒子分散層(25)とアルミニウム層(26)は、複合材(21)の厚さ方向の全体に亘って交互に積層された状態に配列されており、上下両端のうちの下端にアルミニウム層(26)が存在し、同上端に炭素粒子分散層(25)が存在するように配列されている。各炭素粒子分散層(25)において、炭素粒子(23)はアルミニウムマトリックス(22)中において複合材(21)の面方向に分散しており、複合材(21)の厚さ方向には殆ど分散していない。各アルミニウム層(26)中には炭素粒子(23)は実質的に存在していない。そして、複数の炭素粒子分散層(25)と複数のアルミニウム層(26)とが、たとえば焼結複合化により接合一体化されている。炭素粒子分散層(25)の厚さは、限定されるものではないが、１〜１００μｍであることが好ましい。アルミニウム層(26)の厚さは限定されるものではないが、５〜２００μｍであることが好ましい。
【００４６】
複合体(20)の主面表皮層(24)は、複合材(21)とは別個に形成されかつ複合材(21)に、たとえば焼結により接合一体化されたアルミニウム板(27)からなる。すなわち、図３の上側の主面表皮層(24)は同図上端の炭素粒子分散層(25)と接合一体化され、同図の下側の主面表皮層(24)は同図下端のアルミニウム層(26)と接合一体化されている。なお、主面表皮層(24)は必ずしも必要としない。
【００４７】
複合材(21)に用いられる炭素粒子の種類は限定されるものではないが、なるべく高い熱伝導率を有するもの、即ち高熱伝導性のものを用いることが望ましい。特に、炭素粒子としては、天然黒鉛粒子および人造黒鉛粒子が用いられることが好ましい。天然黒鉛粒子としては、鱗片状黒鉛粒子等が用いられる。人造黒鉛粒子としては、等方性黒鉛粒子、異方性黒鉛粒子、熱分解黒鉛粒子等が用いられる。炭素粒子が天然黒鉛粒子および人造黒鉛粒子である場合、平均粒子径が１０μｍ以上３ｍｍ以下の天然黒鉛粒子および人造黒鉛粒子が好適に用いられる。
【００４８】
また、複合材(21)の炭素粒子としては、炭素繊維、カーボンナノチューブおよびグラフェンからなる群より選択される少なくとも一種が用いられることもある。炭素繊維としては、ピッチ系炭素繊維、ＰＡＮ系炭素繊維などが用いられる。カーボンナノチューブとしては、単層カーボンナノチューブ、多層カーボンナノチューブ、気相成長炭素繊維（ＶＧＣＦ（登録商標））等が用いられる。炭素粒子が炭素繊維である場合、平均繊維長が１０μｍ以上２ｍｍ以下の短炭素繊維が特に好適に用いられる。炭素粒子がカーボンナノチューブである場合、平均長さが１μｍ以上１０μｍ以下のカーボンナノチューブが特に好適に用いられる。
【００４９】
図示は省略したが、複合体(20)の製造方法は、アルミニウムマトリックス(22)を構成する材料からなるアルミニウム箔の片面に塗工液を塗布して炭素粒子層が形成された塗工箔を得る工程と、複数の塗工箔を炭素粒子層が同方向を向くように積層した状態の積層体を形成する工程と、当該積層体の積層方向の一端に位置しかつアルミニウム箔における炭素粒子層が外側を向いた塗工箔の炭素粒子層の上に、一方の主面表皮層(24)となるアルミニウム板(27)を積層するとともに、前記積層体の積層方向の他端に位置しかつアルミニウム箔における炭素粒子層が設けられていない側の面に他方の主面表皮層(24)となるアルミニウム板(27)を積層する工程と、前記積層体および主面表皮層(24)となるアルミニウム板(27)を、加圧加熱焼結装置などによって所定の焼結雰囲気（例：非酸化雰囲気）中にて加熱することにより焼結し、これにより複数の塗工箔を一括して焼結一体化するとともに、両アルミニウム板(27)と塗工箔とを焼結一体化する工程とを含む。
【００５０】
塗工液は、炭素粒子(23)とバインダとバインダ用溶剤とを混合状態に含有するものであり、たとえば炭素粒子(23)とバインダと溶剤とを混合容器内に入れて撹拌混合器により撹拌混合することにより得られる。なお必要に応じて、塗工液には分散剤、表面調整剤などが添加される。
【００５１】
バインダは、炭素粒子(23)にアルミニウム箔の片面への付着力を付与して炭素粒子(23)がアルミニウム箔から脱落するのを抑制するためのものである。バインダは通常、有機樹脂等の樹脂からなる。具体的には、バインダとして、ポリエチレンオキサイド、ポリビニルアルコール、アクリル系樹脂などを使用できる。
【００５２】
溶剤はバインダを溶解するものである。具体的には、溶剤として、親水性溶剤（例：イソプロピルアルコール、水）、有機溶剤などを使用できる。
【００５３】
撹拌混合器としては、ディスパー、プラネタリーミキサー、ビーズミルなどを使用できる。
【００５４】
前記積層体および両アルミニウム板(27)の焼結方法は、真空ホットプレス法、放電プラズマ焼結法（ＳＰＳ法）、熱間静水圧焼結法（ＨＩＰ法）、押出法、圧延法などから選択される。なお、放電プラズマ焼結法はパルス通電焼結法とも呼ばれている。
【００５５】
積層体中に存在するバインダは、この工程において積層体の温度が略室温から積層体の焼結温度まで上昇するように積層体を加熱する途中で昇華または分散等により消失して積層体から除去される。
【００５６】
積層体および両アルミニウム板(27)を焼結する工程では、積層体が上述のように加熱されることにより、アルミニウム箔の金属材料の一部が炭素粒子層内に浸透して炭素粒子層内に存在する微細な空隙（例：炭素粒子層中の炭素粒子(23)間の隙間）に充填されて、当該空隙が略消滅する。これにより、複合材(21)の密度が上昇するとともに複合材(21)の強度が向上する。
【００５７】
また、アルミニウム箔を構成する材料の一部が炭素粒子層内に浸透することによって、炭素粒子層中の炭素粒子(23)が、得られた複合体(20)の複合材(21)のアルミニウムマトリックス(22)中において平面方向に分散した状態になり、炭素粒子層が複合材(21)の炭素粒子分散層(25)になり、アルミニウム箔が複合材(21)のアルミニウム層(26)になる。さらに、アルミニウム板(27)が主面表皮層(24)になる。
【００５８】
したがって、複合材(21)においては、炭素粒子分散層(25)とアルミニウム層(26)は、上述したように複合材(21)の厚さ方向の全体に亘って交互に積層された状態に配列する。こうして、複合体(20)が作られる。
【００５９】
上述した複合材(21)を含む複合体(20)は熱伝導性に優れている。そして、この複合体(20)に樹脂フィルム層を積層することによって、熱伝導部材に絶縁性、耐突き刺し性、耐食性、耐摩耗性、耐水性（耐湿性）、耐薬品性、耐擦過性、耐発塵性を向上させ、また十分な曲げ強度およびバネ弾性を付与できる。本発明においては、熱伝導部材として複合体(20)の両面に単層または複層の樹脂フィルム層を接着剤層で接着した積層材を用いることを推奨する。また、図３の複合体(20)はアルミニウム−カーボンの複合材(21)の両面にアルミニウム製の主面表皮層(24)を有しているが、複合体は、複合材(21)の片面にのみ主面表皮層(24)を有する複合体、および複合材(21)の単独材からなる複合体のどちらかに変更することもできる。
【００６０】
以下に、積層材の２つの実施形態について図６、７を参照しつつ詳述する。
【００６１】
図６に積層材の第１実施形態に示す。この積層材(51)は、複合体(20)の第１面に第１接着剤層(61)で接着された第１樹脂フィルム層(71)が積層され、第２面に第２接着剤層(62)で接着された第２樹脂フィルム層(72)が積層されている。前記第１樹脂フィルム層(71)と第２樹脂フィルム層(72)は同種の樹脂フィルム層であることには限定されず、異種の樹脂フィルム層であってもよい。
【００６２】
図７に積層材の第２実施形態に示す。この積層材(52)は、複合体(20)の両面に複層の樹脂フィルム層が積層されている。即ち、前記複合体(20)の第１面に第１接着剤層(61)で接着された第１樹脂フィルム層(71)が積層され、この第１樹脂フィルム層(71)の外面に、第１樹脂フィルム層とは異種の第３樹脂フィルム層(73)が第３接着剤層(63)で接着されている。また、前記複合体(20)の第２面に第２接着剤層(62)で接着された第２樹脂フィルム層(72)が積層され、この第２樹脂フィルム層(72)の外面に、第２樹脂フィルム層(72)とは異種の第４樹脂フィルム層(74)が第４接着剤層(64)で接着されている。第１樹脂フィルム層(71)と第２樹脂フィルム層(73)は同種の樹脂フィルム層であってもよいし、異種の樹脂フィルム層であってもよい。同様に、第３樹脂フィルム層(73)と第４樹脂フィルム層(74)は同種の樹脂フィルム層であってもよいし、異種の樹脂フィルム層であってもよい。また、複層のフィルム層は３層以上であってもよい。さらに、層第１面側の樹脂フィルム層と第２面側の樹脂フィルムの積層数が異なる場合も本発明の技術的範囲に含まれる。
【００６３】
本発明において、前記第１樹脂フィルム層(71)、第２樹脂フィルム層(72)、第３樹脂フィルム層(73)および第４樹脂フィルム層(74)としては、特に限定されるものではないが、例えば、ポリエチレンテレフタレート（ＰＥＴ）フィルム、ナイロンフィルム（中でも二軸延伸ナイロンフィルムが好ましい）、ポリスチレン（ＰＳ）フィルム、ポリエチレン（ＰＥ）フィルム、ポリプロピレン（ＰＰ）フィルム、ポリエチレンナフタレート（ＰＥＮ）フィルム、ポリイミド（ＰＩ）フィルム、ポリカーボネート（ＰＣ）フィルム、アクリル樹脂フィルム、エポキシ樹脂フィルム等が挙げられる。これらの樹脂フィルムを複合体に積層することによって、熱伝導部材に、絶縁性、耐突き刺し性、耐摩耗性、耐水性（耐湿性）、耐薬品性、耐擦過性、耐発塵性が向上し、十分な曲げ強度、バネ弾性を付与できる。また、図７の複層の樹脂フィルムの場合は特性の異なる樹脂フィルムを組み合わせることが好ましい。例えば、ナイロンフィルムは耐突き刺し性が他のフィルムよりも優れているが吸湿性がやや高いので、耐水性（耐湿性）の高いポリエチレンテレフタレートフィルムを組み合わせることによって、熱伝導部材に両方の樹脂フィルムの優れた特性を付与できる。また、ナイロンフィルムおよびポリエチレンテレフタレートフィルムを積層する場合は、積層体(20)側の第１樹脂フィルム層(71)および第２樹脂フィルム層(72)としてナイロンフィルムを用い、外面に露出する第３樹脂フィルム層(73)および第４樹脂フィルム層(74)として耐水性に優れたポリエチレンテレフタレートフィルムを用いることが好ましい。
【００６４】
前記第１樹脂フィルム層(71)、第２樹脂フィルム層(72)、第３樹脂フィルム層(73)および第４樹脂フィルム層(74)の厚さは、いずれも、５μｍ〜２００μｍの範囲に設定されるのが好ましく、中でも１０μｍ〜５０μｍが特に好ましい。
【００６５】
前記第１接着剤層(61)、第２接着剤層(62)、第３接着剤層(63)および第４接着剤層(64)を形成する接着剤としては、特に限定されるものではないが、例えば、ウレタン系樹脂、オレフィン系樹脂、エチレン−酢酸ビニル共重合体（ＥＶＡ）、エチレン−アクリル酸エステル共重合体、エチレン−メタクリル酸エステル共重合体等が挙げられ、その他ＣＰＰ（キャスティングポリプロピレン）を用いてもよい。中でも、ウレタン系樹脂を用いるのが好ましく、この場合には樹脂フィルム層の樹脂種を問わず高い接着強度を確保できる。また、ウレタン樹脂系接着剤は安価であるからコスト面でも有利である。
【００６６】
上記接着剤を用いて積層を行う際の積層手法としては、湿式の場合には、特に限定されるものではないが、例えば、ディップコート、スピンコート、グラビア印刷、ダイコーター、ナイフコーター、３本ロール（オフセットタイプ）、スリットコーター、ロールコーター（２本ロール）、スプレーコート、カーテンコート、リバースロールコーター、コンマコーター（カンマコーター）等の塗工方法が挙げられる。また、乾式の場合には、特に限定されるものではないが、例えば、ドライラミネート法、ヒートラミネート法、ホットプレス法等が挙げられる。
【００６７】
上述した組電池装置(1)において、組電池(2)を構成するすべての単電池(3)を冷却する場合、伝熱器(4)の伝熱媒体流通路(6)に冷却液を供給する。すると、冷却液が伝熱器(4)の伝熱媒体流通路(6)を流れている間に、冷却液の有する冷熱が、熱伝導部材(7)の伝熱器側接触部(17)、第１連結部(18)および第１単電池側接触部(15)を経て単電池(3)の第１受熱面(13)に伝えられるとともに、熱伝導部材(7)の伝熱器側接触部(17)、第２連結部(19)および第２単電池側接触部(16)を経て単電池(3)の第２受熱面(14)に伝えられ、組電池(2)のすべての単電池(3)が冷却される。
【００６８】
寒冷地において、使用開始前に単電池(3)を適正温度まで加熱する必要がある場合には、伝熱器(4)の伝熱媒体流通路(6)に温熱を供給しうる伝熱媒体である高温の加熱液を供給する。すると、加熱液が伝熱器(4)の伝熱媒体流通路(6)を流れている間に、加熱液の有する温熱が、冷却の場合と同様にして組電池(2)の単電池(3)の両受熱面(13)(14)に伝えられ、組電池(2)のすべての単電池(3)が適正温度に加熱される。
【００６９】
図１に示すように、少なくとも一部の単電池(3)が上下方向にずれて組電池(2)の下面に段差が発生している場合、熱伝導部材(7)が変形部(10)が組電池(2)の下面の形状に追従して弾性変形し、組電池(2)の各単電池(3)の第１受熱面(13)と熱伝導部材(7)の第１単電池側接触部(15)との間、および熱伝導部材(7)の伝熱器側接触部(17)と伝熱器(4)の伝熱面(5)との間に接触不良が生じることが防止される。したがって、組電池(2)を構成する全単電池(3)を効率良く冷却または加熱することが可能になる。
【００７０】
図４はこの発明による組電池装置の他の実施形態を示す。
【００７１】
図４に示す組電池装置(30)の場合、組電池(2)の単電池(3)の側面(12)における２つの第２垂直面(12b)がそれぞれ第２受熱面(14)となっている。熱伝導部材(7)は各単電池(3)毎に２つずつ配置されており、各単電池(3)の第１受熱面(13)の図４の左右両側部分にそれぞれ２つの熱伝導部材(7)の第１単電池側接触部(15)が接触するとともに、両第２受熱面(14)にそれぞれ１つの熱伝導部材(7)の第２単電池側接触部(16)が接触している。すなわち、図４左側の熱伝導部材(7)の第１単電池側接触部(15)が各単電池(3)の図４左側部分に接触するとともに、第２単電池側接触部(16)が各単電池(3)の図４左側の第２受熱面(14)に沿って面接触し、図４右側の熱伝導部材(7)の第１単電池側接触部(15)が各単電池(3)の図４右側部分に接触するとともに、第２単電池側接触部(16)が各単電池(3)の図４右側の第２受熱面(14)に沿って面接触している。
【００７２】
組電池装置(30)のその他の構成は、図１〜図３に示す組電池装置(1)と同様である。
【００７３】
図５はこの発明による組電池装置のさらに他の実施形態を示す。
【００７４】
図５に示す組電池装置(40)の場合、伝熱器(4)が互いに反対側（図５の上下両側）を向いた２つの伝熱面(5)を有しており、伝熱器(4)の両側にそれぞれ組電池(2)が配置されている。また、各組電池(2)の単電池(3)の側面(12)における伝熱器(4)の伝熱面(5)側を向いた一方の第２垂直面(12b)（図５上側の組電池(2)の単電池(3)では下方を向いた第２垂直面(12b)、同図下側の組電池(2)の単電池(3)では上方を向いた第２垂直面(12b)）がそれぞれ第１受熱面(13)となっており、第１受熱面(13)に隣接する一方（図５の右方）の第１垂直面(12a)が第２受熱面(14)となっている。
【００７５】
熱伝導部材(7)は、両組電池(2)の各単電池(3)毎に１つずつ配置されている。熱伝導部材(7)は、各単電池(3)の伝熱器(4)側を向いた第１受熱面(13)に接触する第１単電池側接触部(15)と、各単電池(3)の第１受熱面(13)に隣接する第２受熱面(14)に接触する第２単電池側接触部(16)と、両単電池側接触部(15)(16)間に各単電池(3)から伝熱器(4)側に突出するように設けられ、かつ伝熱器(4)の伝熱面(5)に接触する伝熱器側接触部(17)とよりなる。一端の熱伝導部材(7)を除いた他の熱伝導部材(7)の第２単電池側接触部(16)は、組電池(2)の隣り合う単電池(3)の近接する２つの第１垂直面(12a)間に配置されている。
【００７６】
組電池装置(40)のその他の構成は、図１〜図３に示す組電池装置(1)と同様である。
【産業上の利用可能性】
【００７７】
この発明による組電池装置は、たとえばリチウム二次電池からなる組電池に好適に用いられる。
【符号の説明】
【００７８】
(1)(30)(40)：組電池装置
(2)：組電池
(3)：単電池
(4)：伝熱器
(5)：伝熱面
(6)：伝熱媒体流通路
(7)：熱伝導部材
(8)：端子
(9)：上端面(第１の端面)
(10)：変形部
(11)：下端面(第２の端面)
(12)：側面
(12a)：第１垂直面
(12b)：第２垂直面
(13)：第１受熱面
(14)：第２受熱面
(15)：第１単電池側接触部
(16)：第２単電池側接触部
(17)：伝熱器側接触部
(18)：第１連結部
(19)：第２連結部
(20)：複合体
(21)：複合材
(22)：アルミニウムマトリックス
(23)：炭素粒子
(24)：主面表皮層
(25)：炭素粒子分散層
(26)：アルミニウム層
(27)：アルミニウム板
(51)(52)：積層材
(61)：第１接着剤層（接着剤層）
(62)：第２接着剤層（接着剤層）
(63)：第３接着剤層（接着剤層）
(64)：第４接着剤層（接着剤層）
(71)：第１樹脂フィルム層（樹脂フィルム層）
(72)：第２樹脂フィルム層（樹脂フィルム層）
(73)：第３樹脂フィルム層（樹脂フィルム層）
(74)：第４樹脂フィルム層（樹脂フィルム層）
【図１】
2019117784.tif 000003
【図２】
2019117784.tif 000004
【図３】
2019117784.tif 000005
【図４】
2019117784.tif 000006
【図５】
2019117784.tif 000007
【図６】
2019117784.tif 000008
【図７】
2019117784.tif 000009